(57)【要約】【課題】  クセの付いた釣り糸を弾性体片に切り込んだスリットに固めに差し込んで引き抜く簡単な操作で、糸のクセが直る釣り糸クセ取り用具を提供する事。【解決の手段】  弾性体片１の外周２に沿って釣り糸Ａをクッション性での挟着力Ｐで挟み込む一本のスリット３或は、溝巾ａ違いスリット３を数本並列でなる、釣り糸クセ取り用具にする。また、前記する弾性体片１を、回動Ｎ自在の糸巻き体Ｂを装備でなる１枚の台紙体Ｃの糸引き出し部に一体化でなる、釣り糸クセ取り用具にする。次に、前記する弾性体片１を、回動Ｎ自在の糸巻き体Ｂａを装備でなるフレーム体Ｄの糸引き出し部に一体化でなる、釣り糸クセ取り用具にする。更にまた、一対でなる弾性体片１Ａのフラット面１ａに指差し込み部４を夫々一体化し、双方の裏面１ｂの間に釣り糸Ａをクッション性での挟着力Ｐで挟み込こんで糸ぐせを直す、釣り糸クセ取り具にする。【選択図】図１
2011254787.tif 000002
【特許請求の範囲】
【請求項１】
弾性体片１の外周２に沿って釣り糸Ａをクッション性での挟着力Ｐで挟み込む一本のスリット３或は、溝巾ａ違いスリット３を数本並列したことを特徴とする、釣り糸クセ取り用具。
【請求項２】
前記する弾性体片１を、回動Ｎ自在の糸巻き体Ｂを装備でなる１枚の台紙体Ｃの糸引き出し部に一体化した事を特徴とする、請求項１記載の釣り糸クセ取り用具。
【請求項３】
前記する弾性体片１を、回動Ｎ自在の糸巻き体Ｂａを装備でなるフレーム体Ｄの糸引き出し部に一体化した事を特徴とする、請求項１記載の釣り糸クセ取り用具。
【請求項４】
一対でなる弾性体片１Ａのフラット面１ａに指差し込み部４を夫々一体化し、双方の裏面１ｂの間に釣り糸Ａをクッション性での挟着力Ｐで挟み込み可能にしたことを特徴とする、釣り糸クセ取り用具。
【発明の詳細な説明】
【技術分野】
【０００１】  この発明は、釣り糸に付いた巻きグセを徐去する釣り糸クセ取り用具に関する。
【背景技術】
【０００２】  この種の従来の技術として、例えば釣り糸のクセ取りを備えた糸巻きケースが、特許文献１に記載され開示されている。即ち、糸巻きケースの底面に凹部が形成されて糸巻きが回転自在に落とし込まれ、糸巻きに釣り糸が巻き回されている。底板ケースと蓋側ケースの一側隅部内側には夫々リブで、弾性挟持部材を固着する収容部が形成さ、弾性挟持部材は釣糸に巻きぐせを直す圧力が加えられる程度の弾力を有する天然ゴムや合成ゴムや合成樹脂や軟質弾性体にし、その形状は収容部に収容出来る台形で釣り糸が挟持される挟持面と収容部の透孔から突出る押圧部が形成されたの構成が開示されている。【０００３】
【特許文献１】特開平８−１４４号公報
【発明の開示】
【発明が解決しようとする課題】
【０００４】  しかしながら、文献１で記載されたものでは、底板ケースと蓋側ケースの一側隅部内側に設けた２枚の弾性挟持部材にクセの付いた釣り糸を挟み込み、利用者が指先で夫々の弾性挟待部材に設けた押圧部に指圧を負荷し釣り糸に圧力を加え引っ張りながらクセ取り操作を強いられる為、コンスタントに均等に指先に押し圧を掛けるのに手感のバラツキや釣り糸の太さ違いなどでの押し圧操作が定まらない等で、巻きぐせが取り難いなどの課題が残る。【０００５】また、巻きぐせの取り租ねた釣り糸のやり直し操作が簡単に出来ず、糸巻きケースを開いて、其の中に収納された糸巻きに巻き戻しをやらない限り、巻き損ねたやり直しクセ取りは出来ず、また釣り糸に仕掛けた釣り用具の結び目に残ったクセ取りなどには不向きで、しいて云えば新しい釣り糸の糸巻き解きでの巻きぐせを直す程度に限定される不便さが課題となる。そして、市販されている材質違いでの例えばしなやかな巻きぐせの取れ易いフロロカーボンや、硬めのナイロン等で巻きぐせの取れ難い釣り糸や、或は細号数の糸や、太号数の糸などでは、糸の様々な仕様違いに合わせ指先押し圧の手加減が必要になるなどの課題がある。そんな観点から願わくは、手感覚に頼る事無く、スムーズに様々な釣り糸の巻きぐせを取る事の出来る、釣り糸クセ取り用具が強く望まれていた。
【課題を解決するための手段】
【０００６】  この発明は、かかる課題を解決する為に、請求項１での発明は、図１での全体を示しての斜視図で述べるに、弾性体片１の外周２に沿って釣り糸Ａをクッション性での挟着力Ｐで挟み込む一本のスリット３或は、溝巾ａ違いスリット３を数本並列した構成にする。そしてまた、請求項２での発明を図２での全体を示しての斜視図で述べるに、前記する弾性体片１を回動Ｎ自在の糸巻き体Ｂを装備でなる１枚の台紙体Ｃの糸引き出し部に一体化した構成にする。次に、請求項３での発明を図３での全体を示しての斜視図で述べるに、前記する弾性体片１を回転Ｎ自在の糸巻き体Ｂａを装備でなるフレーム体Ｄの糸引き出し部に一体化した構成にする。次にまた、請求項４での発明を図４での全体を示しての斜視図で述べるに、一対でなる弾性体片１Ａのフラット面１ａに指差し込み部４を夫々一体化し、双方の裏面１ｂの間に釣り糸Ａをクッション性での挟着力Ｐで挟み込み可能な構成とした釣り糸クセ取り用具とする。
【発明の効果】
【０００７】  本発明は上述の通り構成作用するので、次の優れた効果を奏する。即ち、請求項１での効果は、巻きぐせの付いた釣り糸や、糸に付いた仕掛け用品の結び目などのくせ付き糸の其の太さより溝巾の狭い弾性体片のスリットに固めに差し込み、しごきながら引き抜く操作で巻きぐせを直すことが出来る。次に、請求項２と請求項３での効果は、台紙体或は、フレーム体に設けた弾性体片のスリットに糸巻き体の巻きぐせの付いた糸を固めに差し込み、解きながら巻きぐせを直す事が出来る。次に、請求項４での効果は、指差し込み部に手の指先を差し込んで弾性体片の一対のフラット面に巻きぐせの付いた釣り糸を挟み込み、糸の太さに合わせながら指圧を加減しながら引き抜く操作で、巻きぐせを直す事が出来る釣り糸クセ取り用具を提供出来る。
【発明を実施するための最良の形態】
【０００８】  以下図示の実施例に基づいて本発明を更に詳細に説明する。即ち、図１は本発明での第１実施例に基づく使用例を兼ねての全体斜視図で、弾性体片１の外周２に沿うって釣り糸Ａをクッション性の挟着力Ｐで挟み込む一本のスリット３を設けるか或は、溝巾ｂ違いのスリット３を数本並列して設けた構成からなる釣り糸クセ取り用具とする。そして、これらの弾性体片１の材質は天然ゴムや合成ゴムでのクッション性でなる軟質弾性体を用い、其の形状は本実施例では短い円柱状で、其の外周２にスリット３を切り込むが、其の外観形状は利用者が片方の手の指先で摘み易く且つ、他方の手でクセの付いた釣り糸Ａを摘んでスリット３に固めに差し込み、其のまま引っ張りＰａながら巻きぐせを直す為の、操作のやり易い形状で良く弾性体片１の形状やスリット３の溝巾ｂや本数は特定するものでなく、スリット３の溝巾ｂは釣り糸Ａの号数の小さい例えば某メーカでの細い１号の糸の太さは０，１６ミリから、比較的太い３０号での糸の太さは０，９７ミリと号数によって糸の太さが違い、これらの様々の糸を差し込み巻きぐせを直すに、溝巾ｂを変えたスリット３を設定することで対応し、糸の差し込む固さを手感で以って自在に選択出来る構成としている。これらの溝巾ｂと釣り糸Ａ太さの係合は、一片の弾性体片１に具備する溝巾ｂ違いの数本のスリット３の中から選択を自在可能な構成とし、スリット３に固く差し込まれた巻きぐせの付いた釣り糸Ａを引っ張りＰａ操作に依って、スリット３を滑る摩擦熱と引っ張りＰａ伸びでの相乗効果が釣り糸Ａに作用し、巻きぐせの較正を可能にした釣り糸クセ取り用具である。【０００９】  次に図２は本発明での第２実施例に基づく使用例を兼ねての全体斜視図で、前記する弾性体片１を、回動Ｎ自在の糸巻き体Ｂを装備する１枚の取り扱い書等を印刷した台紙体Ｃからの巻き解き糸引き出し部に位置して一体化構成としている。これらに設けた弾性体片１は糸巻きに巻かれた糸が固めに挟み込まれるスリット３を設けるが、挟み込み固さ違いのスリット３を並列して複数設けることなどで，利便性を高めることも出来る釣り糸クセ取り用具である。【００１０】  次に図３は本発明での第３実施例に基づく使用例を兼ねての全体斜視図で、回動Ｎ自在の糸巻き体Ｂａを装備するフレーム体Ｄの糸引き出し部に位置して一体化構成とし、糸巻き体Ｂａは梯子状で、フレーム体Ｄは合成樹脂からなる釣り糸クセ取り用具で、本実施例での糸巻き体Ｂａは個別のまとめ糸巻き体に巻き込まれた釣り糸Ａを別け巻きでの糸巻き体Ｂａ装備でのフレーム体Ｄの構成からなる釣り糸クセ取り用具である。【００１１】  次に図４は本発明での第４実施例に基づく使用例を兼ねての全体斜視図で、一対でなる弾性体片１Ａのフラット面１ａに指差し込み部４を夫々一体化し、双方の裏面１ｂの間に釣り糸Ａをクッション性の挟着力Ｐで挟み込み可能な構成で、弾性体片１Ａはスリットの無い面同志間に巻きぐせの釣り糸Ａを任意に挟み手の指圧加減で挟着力Ｐを負荷しながら引っ張りＰａ操作で巻きぐせを真っ直ぐに直すことの出来る釣り糸クセ取り用具である。
【図面の簡単な説明】
【００１２】
【図１】本発明に係わる第１実施例での使用例を兼ねての斜視図である。
【図２】本発明に係わる第２実施例での使用例を兼ねての斜視図である。
【図３】本発明に係わる第３実施例での使用例を兼ねての斜視図である。
【図４】本発明に係わる第４実施例での使用例を兼ねての斜視図である。
【符合の説明】
【００１３】Ａ        釣り糸Ｂ，Ｂａ  糸巻き体Ｃ        台紙体Ｄ        フレーム体Ｐ        挟着力Ｐａ      引っ張りＮ        回動ａ        溝巾１、１Ａ  弾性体片２        外周３        スリット４        指差し込み部
【図１】
2011254787.tif 000003
【図２】
2011254787.tif 000004
【図３】
2011254787.tif 000005
【図４】
2011254787.tif 000006